【事件の表示】
　特願２００１−１２０８０７「情報処理装置および方法、情報処理システム、並びにプログラム」拒絶査定不服審判事件〔平成１４年１０月２５日出願公開、特開２００２−３１１９６２〕について、次のとおり審決する。
【結　論】
　本件審判の請求は、成り立たない。
【理　由】
第１．手続の経緯
　出願　　　　　　　　　　　　平成１３年　４月１９日 
　拒絶理由通知　　　　　　　　平成２１年　８月１１日 
　意見書　　　　　　　　　　　平成２１年１０月　７日 
　手続補正書　　　　　　　　　平成２１年１０月　７日 
　拒絶理由通知　　　　　　　　平成２１年１０月２７日 
　意見書　　　　　　　　　　　平成２１年１２月２４日 
　手続補正書　　　　　　　　　平成２１年１２月２４日 
　補正の却下の決定（平成２１年１２月２４日付け手続補正書に対して）
　　　　　　　　　　　　　　　平成２２年　２月　３日 
　拒絶査定　　　　　　　　　　平成２２年　２月　３日 
　審判請求　　　　　　　　　　平成２２年　５月　７日 
　手続補正　　　　　　　　　　平成２２年　５月　７日 
　
第２．平成２２年５月７日付けの手続補正についての補正却下の決定
［補正却下の決定の結論］
　　平成２２年５月７日付けの手続補正を却下する。
［理由］
１．補正の内容
　上記手続補正により補正された特許請求の範囲の請求項１ないし１０のうち、請求項１の記載は次のとおりである。
　
「記憶部に記憶されているコンテンツのタイトル名をプレイリスト毎に表示部に一覧表示させ、一覧表示された中の任意の前記コンテンツに対して所定の操作が行われた場合、操作が行われた前記コンテンツに関連し、前記記憶部に記憶されている付加情報を編集できるように、かつ、前記付加情報に含まれる情報を情報の種類によって複数のグループに分けて、前記グループ単位で前記表示部に表示させるとともに、使用者の操作により前記表示部に表示させる前記グループを変更する表示制御手段と、
　使用者の操作により前記表示部に表示されている前記付加情報を編集する編集手段と、
　前記編集手段により編集された前記付加情報を前記記憶部に記憶させる記憶制御手段と
　を備える情報処理装置。」
　
　また、上記手続補正を行う前の請求項の記載は、平成２１年１０月７日付け手続補正書により補正された特許請求の範囲の請求項１ないし１１に記載された次のとおりのものである。
　
　「【請求項１】　記憶部に記憶されているコンテンツを表示部に一覧表示させるともに、一覧表示された中の任意の前記コンテンツに対して所定の操作が行われた場合、操作が行われた前記コンテンツに関連し、前記記憶部に記憶されている付加情報を編集できるように前記表示部に表示させる表示制御手段と、
　使用者の操作により前記表示部に表示されている前記付加情報を編集する編集手段と、
　前記編集手段により編集された前記付加情報を前記記憶部に記憶させる記憶制御手段と
　を備える情報処理装置。
【請求項２】　他の情報処理装置からの前記コンテンツおよび前記付加情報の取得を制御する取得制御手段を
　さらに備え、
　前記記憶制御手段は、前記取得制御手段の制御の基に取得された前記コンテンツおよび前記付加情報を前記記憶部に記憶させる
　請求項１に記載の情報処理装置。
【請求項３】　記録媒体から前記コンテンツを読み出す読み出し手段と、
　前記読み出し手段により読み出された前記コンテンツに関連する前記付加情報の他の情報処理装置からの取得を制御する取得制御手段と
　をさらに備え、
　前記記憶制御手段は、前記読み出し手段により読み出された前記コンテンツ、および、前記取得制御手段の制御の基に取得された前記付加情報の前記記憶部への記憶を制御する
　請求項１に記載の情報処理装置。
【請求項４】　前記取得制御手段は、前記付加情報に含まれる、他の前記付加情報の存在場所を示す情報に基づいて、前記存在場所からの他の前記付加情報の取得を制御する　請求項２または３に記載の情報処理装置。
【請求項５】　前記付加情報のコピーである編集用付加情報を生成する生成手段を　さらに備え、
　前記表示制御手段は、前記付加情報の代わりに前記編集用付加情報を前記表示部に表示させ、
　前記編集手段は、使用者の操作により前記表示部に表示されている前記編集用付加情報を編集し、
　前記記憶制御手段は、前記編集手段により編集された前記編集用付加情報を前記記憶部に記憶させる
　請求項２または３のいずれかに記載の情報処理装置。
【請求項６】　前記表示制御手段は、前記付加情報に含まれる情報を複数のグループに分け、使用者の選択操作により前記表示部に表示させる前記グループを変更する
　請求項１に記載の情報処理装置。
【請求項７】　前記コンテンツは、音楽データを含み、
　前記付加情報は、前記音楽データの歌詞を含み、
　前記表示制御手段は、前記音楽データの歌詞を編集できるように前記表示部に表示させ、
　前記記憶制御手段は、前記編集手段により編集された前記音楽データの歌詞を前記記憶部に記憶させる
　請求項１に記載の情報処理装置。
【請求項８】　前記表示制御手段は、前記コンテンツの利用条件を示し、前記記憶部に記憶されている権利情報を、前記コンテンツの前記付加情報ととともに前記表示部に表示させる
　請求項１に記載の情報処理装置。
【請求項９】　情報処理装置が、
　記憶部に記憶されているコンテンツを表示部に一覧表示させ、
　一覧表示された中の任意の前記コンテンツに対して所定の操作が行われた場合、操作が行われた前記コンテンツに関連し、前記記憶部に記憶されている付加情報を編集できるように前記表示部に表示させ、
　使用者の操作により前記表示部に表示されている前記付加情報を編集し、
　編集された前記付加情報を前記記憶部に記憶させる
　ステップを含む情報処理方法。
【請求項１０】　記憶部に記憶されているコンテンツを表示部に一覧表示させ、
　一覧表示された中の任意の前記コンテンツに対して所定の操作が行われた場合、操作が行われた前記コンテンツに関連し、前記記憶部に記憶されている付加情報を編集できるように前記表示部に表示させ、
　使用者の操作により前記表示部に表示されている前記付加情報を編集し、
　編集された前記付加情報を前記記憶部に記憶させる
　ステップを含む処理をコンピュータに実行させるためのプログラム。
【請求項１１】　コンテンツに関連する付加情報を生成する生成手段と、
　前記コンテンツおよび前記付加情報の配信を制御する配信制御手段と
　を備える第１の情報処理装置と、
　前記第１の情報処理装置から配信される前記コンテンツおよび前記付加情報の取得を制御する取得制御手段と、
　前記取得制御手段の制御の基に取得された前記コンテンツおよび前記付加情報の記憶部への記憶を制御する記憶制御手段と、
　前記記憶部に記憶されている前記コンテンツを表示部に一覧表示させるともに、一覧表示された中の任意の前記コンテンツに対して所定の操作が行われた場合、操作が行われた前記コンテンツに関連し、前記記憶部に記憶されている付加情報を編集できるように前記表示部に表示させる表示制御手段と、
　前記編集手段により編集された前記付加情報を前記記憶部に記憶させる記憶制御手段と
　を備える第２の情報処理装置と
　を備える情報処理システム。」
　
２．補正の適否
　上記手続補正により補正された請求項１は、補正前の請求項１を引用する請求項６における「コンテンツを表示部に一覧表示」させることを補正して「コンテンツのタイトル名をプレイリスト毎に表示部に一覧表示」させることに限定するものであるから、この補正は、補正前の請求項に記載された発明を特定するために必要な事項を限定するものである。
　したがって、本件補正は、平成１８年法律第５５号改正附則第３条第１項によりなお従前の例によるとされる同法による改正前の特許法（以下、「平成１８年改正前特許法」という）第１７条の２第４項第２号に規定された特許請求の範囲の減縮を目的とするものである。
　そこで、補正後の請求項１に係る発明（以下、「本願補正発明」という）が特許出願の際独立して特許を受けることができるものであるか否か（平成１８年改正前特許法第１７条の２第５項において準用する同法第１２６条第５項の規定に違反するか否か）について以下に検討する。
　
（１）本願補正発明
　本願補正発明は、上記１．補正の内容に記載したとおりのものである。
　
（２）刊行物の記載事項
　これに対して、原査定の拒絶の理由で引用された本願の出願の日前に頒布された刊行物である特開平１１−２６００４５号公報（以下、「刊行物１」という）には、図面とともに、次のア〜カの事項が記載されている。
　
ア．「【００１３】一般ユーザーが使用する記録再生装置１０は、詳しくは後述するが、内部に大容量のデータファイル格納部（例えば図３のハードディスクドライブ１５）を備えるとともに、ＣＤ、ＭＤなどのパッケージメディアのドライブ機能や、他の機器からのデータ入力機能、通信回線を介したデータ入力機能などを備えており、ＣＤ、ＣＤ−ＲＯＭ、ＣＤテキスト、ＭＤなどのユーザーが購入したメディアから再生されるオーディオデータ、ビデオデータ、その他の各種データや、他の機器や通信回線から入力される各種データを、それぞれファイルとして格納していくことができる。
【００１４】そして格納されたファイル（例えば音楽等を１曲単位で１つのファイルとして格納している）については、ユーザーが任意に再生させることなどが可能となる。従って、例えば多数のＣＤを有するユーザーが、全ＣＤの全楽曲をそれぞれ１つのファイルとして記録再生装置１０内に格納（ダビング）しておけば、わざわざＣＤ等を選び出して装填しなくても、所望の楽曲等の再生を実行させることができる。」
　
イ．「【００１６】記録再生装置１０に格納される楽曲等のファイルに関連する情報としては、曲名、アーティスト名、歌詞などのテキストデータ、楽曲イメージやアーティストの画像などの画像データ、アーティストのインターネットホームページのアドレス（ＵＲＬ：Uniform Resource Locator）、著作権に関する情報、関係者名（作詞者、作曲者、制作者等）・・・・などの情報を提供することができる。例えば記録再生装置１０ではこれら情報センタから提供された情報を曲のファイルと対応させて格納しておき、表示出力に利用するなど各種動作を行うことができる。」
　
ウ．「【００３６】この記録再生装置１０の内部の大容量の格納手段としては、ハードディスクに対して情報の記録再生を行うハードディスクドライブ（hard disk drive ：以下ＨＤＤという）１５が設けられている。例えばＣＤ−ＲＯＭドライブ１７やＭＤドライブ１８から読み出されるオーディオ情報などを、ＨＤＤ１５においてファイル単位（例えば１曲が１ファイル）で格納できる。」
　
エ．「【００４６】更に、ＨＤＤ１５に蓄積されるオーディオデータ等のファイルをユーザが管理、制御するためのインターフェースとして、図２にも示したように表示部２４が設けられているが、表示部２４は表示ドライバ２５によって表示駆動される。表示部２４ではＣＰＵ１１の制御に基づいて所要の文字、記号、アイコン等が表示される。
【００４７】さらに記録／再生されるオーディオデータ等に関連する情報としての、画像、文字などの情報が表示部２４で表示される。具体的には情報センタ１から提供された関連情報や、プロバイダ６からダウンロードした情報を関連情報として、ＨＤＤ１５に格納できるが、ＣＰＵ１１はそれらの関連情報を表示部２４に表示させる。詳しくは後述するが、ＨＤＤ１５からのデータファイルの再生時や、ＣＤ−ＲＯＭドライブ１７でのＣＤ再生時などには、その再生されるディスクやファイルに応じて、関連するＵＲＬアドレスを判別し、そのホームページにアクセスしてデータロードを行い、そのダウンロードされた画像やテキストのデータが再生される楽曲等の関連情報として表示部２４で表示される。
【００４８】また表示部２４にはオーディオファイル（なお、楽曲等のオーディオデータが記録されたファイルを説明上オーディオファイルという）などに対応するフォルダ、或いはジャケットイメージが表示され、マウス、ペン、ユーザの指で触れる等の、パネル操作部２０に該当することになるポインティングデバイスによる操作が可能とされる。例えば表示上でユーザーが指示したオーディオファイルが再生されるような動作が可能となる。」
　
オ．「【００６８】更に、ＨＤＤ５４に蓄積されるオーディオデータ等のファイルをユーザが管理制御するためのインターフェースとして、図２にも示したように表示部５７が設けられているが、表示部５７は表示ドライバ５８によって表示駆動される。表示部５７ではＣＰＵ５１の制御に基づいて所要の文字、記号、アイコン等が表示される。また表示部５７にはオーディオファイルなどに対応するフォルダ、或いはジャケットイメージが表示され、マウス、ペン、ユーザの指で触れる等の、パネル操作部２０に該当することになるポインティングデバイスによる操作が可能とされるようにしてもよい。例えば表示上でユーザーが指示したオーディオファイルがＨＤＤ５４から読み出されてスピーカ３５等から再生されるような動作が可能となる。また表示部５７での表示を用いて、ＨＤＤ５４上での選択されたオーディオファイルの消去や、外部機器（例えば記録再生装置１０）への複写、移動等も制御可能である。」
　
カ．「【００８２】６．記録再生装置のファイル格納形態
  図６には、記録再生装置１０内のＨＤＤ１５におけるファイルの格納形態の例を示している。例えばユーザーは自分の所有しているＣＤをＣＤ−ＲＯＭドライブ１７に装填し、収録されている各楽曲をそれぞれファイルとしてＨＤＤ１５に記録（即ちダビング）させることになる。例えばそのＣＤなどのメディア単位で格納が行われていくとすると、ダビングしたＣＤなどのメディア単位で管理ファイルが形成され、各楽曲等は、それぞれ１つのオーディオファイルとして格納される。
【００８３】図６には、ｎ枚のＣＤがＨＤＤ１５にダビングされた状態を示しており、各ＣＤに対応して管理ファイルＡＬ（ＡＬ１〜ＡＬ（ｎ））が形成される。そして各ＣＤに収録されている楽曲は、それぞれ管理ファイルＡＬに対応された状態でオーディオファイルとして格納される。図６では、１行分で示す各ファイルが１つのＣＤからダビングされたファイルとして示しており、例えば或るＣＤからのダビングデータ（各楽曲）は、管理ファイルＡＬ１に対応して、オーディオファイルＡＬ１−Ｍ１、ＡＬ１−Ｍ２、ＡＬ１−Ｍ３・・・として格納される。また、他のＣＤからのダビングデータ（各楽曲）は、管理ファイルＡＬ２に対応して、オーディオファイルＡＬ２−Ｍ１、ＡＬ２−Ｍ２、ＡＬ２−Ｍ３・・・として格納される。即ちこれらが実際の音楽等のデータである。このように、１つのＣＤからのダビングが行われた際には、１つの管理ファイルとともに、ダビングした曲数分のオーディオファイルが形成される。
【００８４】またあるＣＤ等のダビングに際して、ユーザーがデータを入力したり、或いは情報センタ１からそのＣＤに関する関連情報を有料又は無料で受け取ることができるが、それらの情報が関連情報ファイルとして格納される。例えば管理ファイルＡＬ１に対応して関連情報ファイルＡＬ１ａｄが形成される。もちろん例えばあるＣＤに対応して複数の関連情報ファイルが形成される場合もある。
【００８５】関連情報ファイルＡＬ（＊）ａｄとして格納されるデータとして情報センタ１から供給されるデータは、上記のように、曲名、アーティスト名、歌詞などのテキストデータ、楽曲イメージやアーティストの画像などの画像データ、アーティストのインターネットホームページのアドレス（ＵＲＬ）、著作権に関する情報、関係者名（作詞者、作曲者、制作者等）・・・・などの情報となる。もちろん、インターネットホームページ等の、他の情報サーバ（プロバイダ６）からダウンロードした画像情報、テキスト情報など各種の情報を関連情報ファイルＡＬ（＊）ａｄとして格納することもできる。またユーザーが自分で記録再生装置１０に入力した情報を関連情報ファイルＡＬ（＊）ａｄとしてあるＣＤや楽曲等に対応する状態で格納することもできる。
【００８６】管理ファイルは、対応する１又は複数の各オーディオファイルや関連情報ファイルに関する各種の管理情報を有するものとなり、各オーディオファイルや関連情報ファイルの再生、移動、複写、編集などの際に用いられるものとなる。例えば管理ファイルＡＬ１は、或るＣＤ等のメディアからダビング格納されたファイル群に関して、その全体の管理情報や、各オーディオファイルＡＬ１−Ｍ１、ＡＬ１−Ｍ２、ＡＬ１−Ｍ３・・・に関する管理情報、さらには関連情報ファイルＡＬ１ａｄに関する管理情報が記録される。」
　
　以上の記載から、刊行物１には以下の発明（以下、「刊行物１発明」という）が記載されている。
　
　楽曲等のオーディオデータが記録されたオーディオファイルを格納し、
　前記オーディオファイルに関連する情報（曲名、アーティスト名、歌詞などのテキストデータ、楽曲イメージやアーティストの画像などの画像データ、アーティストのインターネットホームページのアドレス、著作権に関する情報、関係者名・・・などの情報）を関連情報ファイルとして前記オーディオファイルと対応させて格納し、
　各オーディオファイルや関連情報ファイルの再生、移動、複写、編集などの際に用いられる管理ファイルを格納する
　ハードディスクドライブ（ＨＤＤ）と、
　前記ＨＤＤに蓄積されるオーディオデータ等のファイルをユーザが管理、制御するためのインターフェースとして設けられた表示部と、
　を備える記録再生装置。
　
（３）対比
　本願補正発明と刊行物１発明とを対比する。
　
　刊行物１発明の「ハードディスクドライブ（ＨＤＤ）」（本願補正発明の「記憶部」に相当）に格納された「オーディオファイル」、「（関連情報ファイルとして格納される）オーディオファイルに関連する情報」は、それぞれ、本願補正発明の「記憶部に記憶されているコンテンツ」、「コンテンツに関連し、前記記憶部に記憶されている付加情報」に相当する。
　
　刊行物１発明は、「各オーディオファイルや関連情報ファイルの再生、移動、複写、編集などの際に用いられる管理ファイルを格納する」ものであるから、前記関連情報ファイル（オーディオファイルに関連する情報を格納したもの）は編集できるものである。また、その編集には、「前記ＨＤＤに蓄積されるオーディオデータ等のファイルをユーザが管理、制御するためのインターフェースとして設けられた表示部」を用いることは明らかであり、該表示部での表示の制御を行う部分は表示制御手段ということができる。
　したがって、本願補正発明と刊行物１発明とは、「記憶部に記憶されているコンテンツに関連し、前記記憶部に記憶されている付加情報を編集できるようにする表示制御手段」を備える点で一致するといえる。
　
　刊行物１発明における、表示部で付加情報の編集を行うための手段は、本願補正発明の「使用者の操作により前記表示部に表示されている前記付加情報を編集する編集手段」に相当する。
　また、刊行物１発明において、編集された付加情報がＨＤＤに格納されることは明らかであるから、刊行物１発明は、「記編集手段により編集された前記付加情報を前記記憶部に記憶させる記憶制御手段」を備えるものであるといえる。
　
　以上をまとめると、本願補正発明と刊行物１発明の一致点及び相違点は次のとおりである。
　
［一致点］
　記憶部に記憶されているコンテンツに関連し、前記記憶部に記憶されている付加情報を編集できるようにする表示制御手段と、
　使用者の操作により前記表示部に表示されている前記付加情報を編集する編集手段と、
　前記編集手段により編集された前記付加情報を前記記憶部に記憶させる記憶制御手段と
　を備える情報処理装置。
　
［相違点１］
　本願補正発明は、コンテンツのタイトル名をプレイリスト毎に表示部に一覧表示させるのに対し、刊行物１発明は、オーディオファイル（コンテンツ）を表示部に表示する具体的態様については特定されていない点。
　
［相違点２］
　付加情報を編集できるようにする表示制御手段において、本願補正発明では、「一覧表示された中の任意の前記コンテンツに対して所定の操作が行われた場合、操作が行われた前記コンテンツに関連し、前記記憶部に記憶されている付加情報を編集できるように、かつ、前記付加情報に含まれる情報を情報の種類によって複数のグループに分けて、前記グループ単位で前記表示部に表示させるとともに、使用者の操作により前記表示部に表示させる前記グループを変更する」のに対し、刊行物１発明では、編集するときの表示制御については特定されていない点。
　
（４）当審の判断
　これらの相違点について検討する。
　
［相違点１］について
　楽曲などのコンテンツの表示態様として、コンテンツのタイトル名をプレイリスト毎に表示部に一覧表示させることは、通常よく行われている表示の態様（例えば、前記補正却下の決定で提示した特開２００１−９３２２６号公報には、ミュージックサーバのＨＤＤに記録されている音楽データを適宜に選択したリストであるプログラムリスト（本願補正発明の「プレイリスト」に相当）を作成・編集する編集画面を表示部に表示することが記載されている。）であるから、刊行物１発明において、オーディオファイル（コンテンツ）を表示部に表示する具体的態様として、そのような通常よく行われている表示態様である、‘コンテンツのタイトル名をプレイリスト毎に表示部に一覧表示させる表示態様’を採用することは当業者が容易になし得ることである。
　
［相違点２］について
　一般的なファイルの編集における表示制御として、一覧表示された中の任意のファイルに対して選択操作が行われ、選択された前記ファイルのプロパティ（本願補正発明の「付加情報」に相当）を編集できるように、前記プロパティに含まれる情報を情報の種類によって複数のグループに分けて、前記グループ単位で前記表示部に表示させるとともに、使用者の操作により前記表示部に表示させる前記グループを変更するような表示制御は周知の技術（下記（＊）を参照）であるから、刊行物１発明において、オーディオファイルに関連する関連情報ファイルの編集を行う際の表示制御を、上記周知技術のように、一覧表示された中の任意のオーディオファイルに対して所定の操作が行われた場合、操作が行われた前記オーディオファイルに関連し、記憶部に記憶されている関連情報ファイル（本願補正発明の「付加情報」に相当）を編集できるように、かつ、前記関連情報ファイルに含まれる情報を情報の種類によって複数のグループに分けて、前記グループ単位で表示部に表示させるとともに、使用者の操作により前記表示部に表示させる前記グループを変更するように構成することは、当業者が容易に想到し得ることである。また、上記の、一般的なファイルの編集における表示制御を、刊行物１発明のような関連情報ファイルの編集を行う際の表示制御に適用したことによる効果も当業者が予測し得る範囲内のものであって、適用したことによる格別の効果を奏するものではない。
　
（＊）例えば、米国マイクロソフト社製のウィンドウズ９５（１９９５年発売）には、選択したファイルのプロパティシートにより複数のタブでグループ化されたデータの設定を行う機能が備えられている。また、その応用例として、特開２００１−７５６９４号公報には、以下のように記載され、同公報の【図１５】等には、ラベルのプロパティシートの表示例が記載されている。
「【０００２】
【従来の技術】近年、例えば、マウス、キーボード及びビデオディスプレイ等の周辺装置と、中央処理装置（ＣＰＵ）とを備えるコンピュータは、例えば米国マイクロソフト社製のウィンドウズ９５や９８（Windows95やWindows98、共に商標）やアップルコンピュータ社のいわゆるマックＯＳ（商標）等に代表されるオペレーティングシステムにより動作する。これらオペレーティングシステムや各種のアプリケーションプログラムでは、ユーザがマウスやキーボードを使用して各種の指示や設定、操作等を行うことのできる、いわゆるウィンドウ、ダイアログ、アイコン等をモニタ画面上に表示することにより、ユーザにとって分かり易いＧＵＩ（Graphical User Interface）が実現されている。
【０００３】ところで、ユーザによる各種のデータ設定やその設定内容の確認のためのＧＵＩとしては、いわゆるプロパティシートを用いることが多い。また、当該プロパティシートにおいて、例えば設定内容をページでグループ化すれば、ユーザにとって非常に分かり易いものとなる。さらに、各グループを表現するアイコンを、例えば各ページのタブ上に表示すれば、ユーザは、当該タブ上のアイコンを見るだけで、設定できる項目を予測できることになる。」
　
　以上のとおり、本願補正発明は、刊行物１発明及び周知技術に基づいて、当業者が容易に発明をすることができたものであり、特許法第２９条第２項の規定により特許出願の際独立して特許を受けることができないものである。
　
　よって、本件補正は、平成１８年改正前特許法第１７条の２第５項において準用する同法第１２６条第５項の規定に違反してなされたものであるから、同法第１５９条第１項において読み替えて準用する同法第５３条第１項の規定により却下すべきものである。
　
第３．本願発明について
１．本願発明
　平成２２年５月７日付けの手続補正は上記のとおり却下されたので、本願の請求項に係る発明は、平成２１年１０月７日付け手続補正書の特許請求の範囲の請求項１ないし１１に記載された事項により特定されるものであるところ、その請求項１に係る発明（以下、「本願発明」という）は、次のとおりのものである。
　
「記憶部に記憶されているコンテンツを表示部に一覧表示させるともに、一覧表示された中の任意の前記コンテンツに対して所定の操作が行われた場合、操作が行われた前記コンテンツに関連し、前記記憶部に記憶されている付加情報を編集できるように前記表示部に表示させる表示制御手段と、
　使用者の操作により前記表示部に表示されている前記付加情報を編集する編集手段と、
　前記編集手段により編集された前記付加情報を前記記憶部に記憶させる記憶制御手段と
　を備える情報処理装置。」
  
２．刊行物
　原査定の拒絶の理由で引用された刊行物、及び、その記載事項は、前記第２．２．（２）に記載したとおりである。
　
３．対比・判断
　本願発明は、前記第２．２．で検討した本願補正発明における「タイトル名をプレイリスト毎に表示」するという限定事項、及び、補正前の請求項６の「前記表示制御手段は、前記付加情報に含まれる情報を複数のグループに分け、使用者の選択操作により前記表示部に表示させる前記グループを変更する」という限定事項を省いたものである。
　そうすると、本願発明の特定事項を全て含み、さらに他の特定事項を付加したものに相当する本願補正発明が前記第２．２．に記載したとおり、刊行物１に記載された発明及び周知技術に基づいて、当業者が容易に発明をすることができたものであるから、本願発明も、同様の理由により、刊行物１に記載された発明及び周知技術に基づいて当業者が容易に発明をすることができたものである。
　
第４．まとめ
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。